(57)【要約】【課題】系切替の発生時に監視業務不可となる時間を短縮しつつ、大規模ネットワークのアラーム量に対応したネットワーク監視システム、ネットワーク監視方法、制御装置およびプログラムを提供することにある。【解決手段】制御装置３０は、全ての監視装置２０のアラーム収集手段２０２と、全ての監視装置２０のうちの一部のアラーム処理手段２０４とを現用化するように制御し、また、監視装置２０の異常を検知しアラームの取得対象とする監視装置２０もしくはアラーム処理手段２０４を現用化する監視装置２０を切り替える。アラーム取得対象の監視装置２０の切替後は、切替後の監視装置２０のバッファ２０６からアラームを読込み処理を継続する。アラーム処理手段２０４の切替後は、切替後の監視装置２０の記憶領域２０８の最新アラームとアラーム取得対象の監視装置２０のバッファ２０６を比較して処理を継続する。【選択図】図１
2013207674.tif 000002
【特許請求の範囲】
【請求項１】
複数の監視装置と、少なくとも１つの制御装置を備え、
前記監視装置は、
被監視装置からアラームを収集して、バッファに一時蓄積するアラーム収集手段と、
前記バッファから前記アラームを取得して記憶領域に記憶するアラーム処理手段を有し、
前記制御装置は、
複数の前記監視装置と通信し、全ての前記監視装置の前記アラーム収集手段と、全ての前記監視装置のうちの一部の前記アラーム処理手段とを現用化するように制御する制御手段と、
前記監視装置の異常を検知して、前記アラーム処理手段が前記アラームの取得対象とする前記監視装置もしくは前記アラーム処理手段を現用化する前記監視装置を切り替える検知手段と、
前記アラーム処理手段が現用化されている前記監視装置と、前記アラーム処理手段が現用化されていない前記監視装置との間で前記記憶領域を同期させて、前記記憶領域に記憶された前記アラームの内容を整合化する整合化手段を有するネットワーク監視システム。
【請求項２】
請求項１に記載のネットワーク監視システムにおいて、
前記制御手段は、
全ての前記監視装置のうち、１つの前記監視装置の前記アラーム処理手段を現用化するネットワーク監視システム。
【請求項３】
請求項１または２に記載のネットワーク監視システムにおいて、
前記バッファは、リングバッファであるネットワーク監視システム。
【請求項４】
請求項１〜３のいずれか一項に記載のネットワーク監視システムにおいて、
前記アラームの情報を表示する表示手段をさらに有するネットワーク監視システム。
【請求項５】
複数の監視装置と、少なくとも１つの制御装置を使用し、
前記監視装置が、
アラーム収集手段で、被監視装置からアラームを収集して、バッファに一時蓄積し、
アラーム処理手段で、前記バッファから前記アラームを取得して記憶領域に記憶し、
前記制御装置が、
制御手段で、複数の前記監視装置と通信し、全ての前記監視装置の前記アラーム収集手段と、全ての前記監視装置のうちの一部の前記アラーム処理手段とを現用化するように制御し、
検知手段で、前記監視装置の異常を検知して、前記アラーム処理手段が前記アラームの取得対象とする前記監視装置もしくは前記アラーム処理手段を現用化する前記監視装置を切り替え、
整合化手段で、前記アラーム処理手段が現用化されている前記監視装置と、前記アラーム処理手段が現用化されていない前記監視装置との間で前記記憶領域を同期させて、前記記憶領域に記憶された前記アラームの内容を整合化するネットワーク監視方法。
【請求項６】
被監視装置からアラームを収集して、バッファに一時蓄積するアラーム収集手段と、前記バッファから前記アラームを取得して記憶領域に記憶するアラーム処理手段を有する、複数の監視装置を制御する装置であり、
複数の前記監視装置と通信し、全ての前記監視装置の前記アラーム収集手段と、全ての前記監視装置のうちの一部の前記アラーム処理手段とを現用化するように制御する制御手段と、
前記監視装置の異常を検知して、前記アラーム処理手段が前記アラームの取得対象とする前記監視装置もしくは前記アラーム処理手段を現用化する前記監視装置を切り替える検知手段と、
前記アラーム処理手段が現用化されている前記監視装置と、前記アラーム処理手段が現用化されていない前記監視装置との間で前記記憶領域を同期させて、前記記憶領域に記憶された前記アラームの内容を整合化する整合化手段を有する制御装置。
【請求項７】
コンピュータを、
被監視装置からアラームを収集して、バッファに一時蓄積するアラーム収集手段と、前記バッファから前記アラームを取得して記憶領域に記憶するアラーム処理手段を有する、複数の監視装置と通信し、全ての前記監視装置の前記アラーム収集手段と、全ての前記監視装置のうちの一部の前記アラーム処理手段とを現用化するように制御する手段、
前記監視装置の異常を検知して、前記アラーム処理手段が前記アラームの取得対象とする前記監視装置もしくは前記アラーム処理手段を現用化する前記監視装置を切り替える手段、
前記アラーム処理手段が現用化されている前記監視装置と、前記アラーム処理手段が現用化されていない前記監視装置との間で前記記憶領域を同期させて、前記記憶領域に記憶された前記アラームの内容を整合化する手段として機能させるためのプログラム。
【発明の詳細な説明】
【技術分野】
【０００１】
本発明は、ネットワークのアラームを監視するシステム、方法、装置およびプログラムに関する。
【背景技術】
【０００２】
ネットワークの大規模化・複雑化により、ネットワーク機器からのアラームの量が増えており、ネットワークの運用保守業務においては、監視業務ができなくなる時間を極力短くする必要がある。そのため、ネットワークを監視するシステムを冗長化することが必須となっている。
【０００３】
システムを冗長化する方式としては、例えば、ウォームスタンバイ方式やホットスタンバイ方式といったものがある。しかしながら、これらの方式では、以下に示すような問題がある。
【０００４】
ウォームスタンバイ方式で冗長化したネットワーク監視システムにおいて、系の切替が発生した場合、系の切替中に各ネットワーク機器が発出したアラームが抜けてしまう。また、どのネットワーク機器のアラームが抜けたのかわからないため、切替後の系では、全ネットワーク機器から最新のアラームを取得する必要がある。最新のアラームを取得している間、保持しているアラーム情報が最新の状態かわからないため、ネットワーク監視システムは監視業務が行えなくなる。
【０００５】
ホットスタンバイ方式で冗長化したネットワーク監視システムでは、両系のサーバでアラームの受信およびアラームの処理を行う。両系のサーバにおいてそれぞれ処理を行うため、ネットワーク機器からのアラーム抜け（Ｔｒａｐ抜け）や、アラームバースト発生によるサーバ内のキューあふれ等により、両系のサーバ間でアラームの不整合が発生する可能性がある。アラーム処理部において、両系サーバ間のデータ整合処理を行うことによりこの問題を解決できるが、データ整合処理はアラーム処理の性能劣化につながる。そのため、ホットスタンバイ方式で冗長化したネットワーク監視システムでは、大規模ネットワークのアラーム量には対応できない。
【０００６】
監視業務が行えなくなる時間を短縮するシステムとして、特許文献１に記載のシステムがある。特許文献１は、メッセージバッファを用いることにより、複数の被監視装置からのアラームの抜けを防止することができ、また、アラーム情報テーブルをロックしなくても被監視装置のアラームの状態変化を通知することができる。よって、特許文献１は、監視業務が行えない時間を短縮することができる。
【０００７】
特許文献２は、０系（現用系）、１系（待機系）と二重化された監視装置が、同一の監視データを保持することにより、片系に異常が発生して系切替が発生しても、アラームの欠落を防ぐ構成を取る。この構成により、アラームの再収集を行う必要がなくなり、系切替発生時の処理の遅延を低減することができる。
【先行技術文献】
【特許文献】
【０００８】
【特許文献１】特開２００１−０７５８３８号公報
【特許文献２】特開平１０−３２７１５０号公報
【発明の概要】
【発明が解決しようとする課題】
【０００９】
しかしながら、特許文献１、２のように単純に冗長化しただけでは、監視業務が行えない時間を短縮することは可能であっても、大規模ネットワークに対応したネットワーク監視システムを構築することはできない。
【００１０】
本発明の目的は、上記問題に鑑み、系切替の発生時に監視装置が監視業務を行えなくなる時間を短縮しつつ、大規模ネットワークのアラーム量に対応したネットワーク監視システム、ネットワーク監視方法、制御装置およびプログラムを提供することにある。
【課題を解決するための手段】
【００１１】
本発明によれば、
複数の監視装置と、少なくとも１つの制御装置を備え、
前記監視装置は、
被監視装置からアラームを収集して、バッファに一時蓄積するアラーム収集手段と、
前記バッファから前記アラームを取得して記憶領域に記憶するアラーム処理手段を有し、
前記制御装置は、
複数の前記監視装置と通信し、全ての前記監視装置の前記アラーム収集手段と、全ての前記監視装置のうちの一部の前記アラーム処理手段とを現用化するように制御する制御手段と、
前記監視装置の異常を検知して、前記アラーム処理手段が前記アラームの取得対象とする前記監視装置もしくは前記アラーム処理手段を現用化する前記監視装置を切り替える検知手段と、
前記アラーム処理手段が現用化されている前記監視装置と、前記アラーム処理手段が現用化されていない前記監視装置との間で前記記憶領域を同期させて、前記記憶領域に記憶された前記アラームの内容を整合化する整合化手段を有するネットワーク監視システムが提供される。
【００１２】
本発明によれば、
複数の監視装置と、少なくとも１つの制御装置を使用し、
前記監視装置が、
アラーム収集手段で、被監視装置からアラームを収集して、バッファに一時蓄積し、
アラーム処理手段で、前記バッファから前記アラームを取得して記憶領域に記憶し、
前記制御装置が、
制御手段で、複数の前記監視装置と通信し、全ての前記監視装置の前記アラーム収集手段と、全ての前記監視装置のうちの一部の前記アラーム処理手段とを現用化するように制御し、
検知手段で、前記監視装置の異常を検知して、前記アラーム処理手段が前記アラームの取得対象とする前記監視装置もしくは前記アラーム処理手段を現用化する前記監視装置を切り替え、
整合化手段で、前記アラーム処理手段が現用化されている前記監視装置と、前記アラーム処理手段が現用化されていない前記監視装置との間で前記記憶領域を同期させて、前記記憶領域に記憶された前記アラームの内容を整合化するネットワーク監視方法が提供される。
【００１３】
本発明によれば、
被監視装置からアラームを収集して、バッファに一時蓄積するアラーム収集手段と、前記バッファから前記アラームを取得して記憶領域に記憶するアラーム処理手段を有する、複数の監視装置を制御する装置であり、
複数の前記監視装置と通信し、全ての前記監視装置の前記アラーム収集手段と、全ての前記監視装置のうちの一部の前記アラーム処理手段とを現用化するように制御する制御手段と、
前記監視装置の異常を検知して、前記アラーム処理手段が前記アラームの取得対象とする前記監視装置もしくは前記アラーム処理手段を現用化する前記監視装置を切り替える検知手段と、
前記アラーム処理手段が現用化されている前記監視装置と、前記アラーム処理手段が現用化されていない前記監視装置との間で前記記憶領域を同期させて、前記記憶領域に記憶された前記アラームの内容を整合化する整合化手段を有する制御装置が提供される。
【００１４】
本発明によれば、
コンピュータを、
被監視装置からアラームを収集して、バッファに一時蓄積するアラーム収集手段と、前記バッファから前記アラームを取得して記憶領域に記憶するアラーム処理手段を有する、複数の監視装置と通信し、全ての前記監視装置の前記アラーム収集手段と、全ての前記監視装置のうちの一部の前記アラーム処理手段とを現用化するように制御する手段、
前記監視装置の異常を検知して、前記アラーム処理手段が前記アラームの取得対象とする前記監視装置もしくは前記アラーム処理手段を現用化する前記監視装置を切り替える手段、
前記アラーム処理手段が現用化されている前記監視装置と、前記アラーム処理手段が現用化されていない前記監視装置との間で前記記憶領域を同期させて、前記記憶領域に記憶された前記アラームの内容を整合化する手段として機能させるためのプログラムが提供される。
【発明の効果】
【００１５】
本発明によれば、系切替の発生時に監視装置が監視業務を行えなくなる時間を短縮しつつ、大規模ネットワークのアラーム量に対応したネットワーク監視システム、ネットワーク監視方法、制御装置およびプログラムを提供できる。
【図面の簡単な説明】
【００１６】
【図１】本発明の第１の実施形態に係るネットワーク監視システムの構成を示すブロック図である。
【図２】監視装置がアラームを処理する流れを示すフローチャートである。
【図３】本発明の第１の実施形態に係るネットワーク監視システムの制御手段が複数の監視装置を制御する処理の流れを示すフローチャートである。
【図４】アラーム収集手段およびアラーム処理手段を現用化する個数を決定するテーブルの例を示す図である。
【図５】検知手段がアラーム収集手段を切り替える処理の流れを示すフローチャートである。
【図６】検知手段がアラーム処理手段を切り替える処理の流れを示すフローチャートである。
【図７】本発明の第２の実施形態に係るネットワーク監視システムの構成を示すブロック図である。
【図８】本発明の第３の実施形態に係るネットワーク監視システムの構成を示すブロック図である。
【図９】リングバッファの構造を示す図である。
【図１０】本発明の第４の実施形態に係るネットワーク監視システムの構成を示すブロック図である。
【図１１】本発明の第４の実施形態におけるアラーム処理の流れを示すフローチャートである。
【発明を実施するための形態】
【００１７】
以下、本発明の実施の形態について、図面を用いて説明する。尚、すべての図面において、同様な構成要素には同様の符号を付し、適宜説明を省略する。
【００１８】
（第１の実施形態）
図１は、本発明の第１の実施形態に係るネットワーク監視システムの構成を示す図である。ネットワーク監視システム１０は、複数の監視装置２０と、少なくとも１つの制御装置３０を備える。複数の監視装置２０と制御装置３０、および複数の監視装置２０と図示しない被監視装置はネットワークで接続されている。
【００１９】
監視装置２０は、アラーム収集手段２０２、アラーム処理手段２０４を有する。アラーム収集手段２０２は、被監視装置からアラームを収集し、収集したアラームをバッファ２０６に一時蓄積する。アラーム処理手段２０４は、バッファ２０６からアラームを取得して記憶領域２０８に記憶する。
【００２０】
制御装置３０は、制御手段３０２、検知手段３０４、整合化手段３０６を有する。制御手段３０２は、複数の監視装置２０と通信し、全ての監視装置２０のアラーム収集手段２０２と、全ての監視装置２０のうちの一部のアラーム処理手段２０４とを現用化するように制御する。検知手段３０４は、監視装置２０の異常を検知して、アラーム処理手段２０４がアラームの取得対象とする監視装置２０、もしくはアラーム処理手段２０４を現用化する監視装置２０を切り替える。整合化手段３０６は、アラーム処理手段２０４が現用化されている監視装置２０と、アラーム処理手段２０４が現用化されていない監視装置２０との間で記憶領域２０８を同期させて、記憶領域２０８に記憶されたアラームの内容を整合化する。
【００２１】
なお、各図に示した監視装置２０および制御装置３０の各構成要素は、ハードウエア単位の構成ではなく、機能単位のブロックを示している。監視装置２０および制御装置３０の各構成要素は、任意のコンピュータのＣＰＵ、メモリ、メモリにロードされた本図の構成要素を実現するプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００２２】
本実施形態の処理の流れを、図２〜６を用いて説明する。
【００２３】
図２は、監視装置２０がアラームを処理する流れを示すフローチャートである。アラーム収集手段２０２は、被監視装置が送信するアラームを収集する（Ｓ１０２）。アラーム収集手段２０２は、収集したアラームをバッファ２０６に一時蓄積する（Ｓ１０４）。アラーム処理手段２０４は、バッファ２０６からアラームを取得する（Ｓ１０６）。そして、アラーム処理手段２０４は、取得したアラームを記憶領域２０８に記憶する（Ｓ１０８）。
【００２４】
図３は、制御手段３０２が複数の監視装置２０を制御する処理の流れを示すフローチャートである。制御手段３０２は、ネットワークを介して複数の監視装置２０と通信し、アラーム収集手段２０２を現用化する監視装置２０と、アラーム処理手段２０４を現用化する監視装置２０を決定する（Ｓ２０２）。アラーム収集手段２０２およびアラーム処理手段２０４を現用化する個数については、例えば図４に示すような、テーブルを参照して決定するようにしても、ユーザの事前入力で決定するようにしてもよい。
【００２５】
図５は、検知手段３０４がアラーム収集手段２０２を切り替える処理の流れを示すフローチャートである。検知手段３０４は、アラーム処理手段２０４がアラームを取得する対象としている監視装置２０の状態を常時監視している。アラーム取得対象の監視装置２０に異常がない場合（Ｓ３０２のＮＯ）、検知手段３０４は引き続き監視装置２０の状態を監視する。一方、アラーム取得対象の監視装置２０に異常が発生した場合（Ｓ３０２のＹＥＳ）、検知手段３０４は、アラーム処理手段２０４に、アラームを取得対象とする監視装置２０を切り替える命令を送信する（Ｓ３０４）。
【００２６】
アラーム処理手段２０４は、切替命令を受信すると、アラームの取得対象とする監視装置２０を切り替える（Ｓ３０６）。監視装置２０の切替方法は、図４のテーブルを参照するなどして次の監視装置２０に切り替える、または、予め記憶領域２０８に設定しておいた優先順位に基づき、監視装置２０を切り替えるなどとすることができる。アラーム処理手段２０４は、切替後の監視装置２０のバッファ２０６から、アラームを取得する（Ｓ３０８）。そして、アラーム処理手段２０４は、取得したアラームが記憶領域２０８と同一か否かを判定する。例えば、アラーム処理手段２０４は、読み込んだバッファ２０６の、アラームＩＤ、アラームの発生時間およびアラームの内容などを、記憶領域２０８に記憶したアラームの情報と比較することで、アラームが同一か否かを判定できる。バッファ２０６から取得したアラームが記憶領域２０８に記憶されているアラームと同一であった場合（Ｓ３１０のＹＥＳ）、アラーム処理手段２０４は、バッファから次のアラームを取得し、記憶領域２０８に記憶されていないアラームをさらに検索する。一方、バッファ２０６から取得したアラームが記憶領域２０８に記憶されているアラームと異なる場合（Ｓ３１０のＮＯ）、このアラームから切替前の処理の続きを行えばよいことが分かる。よって、アラーム処理手段２０４は、当該アラームからアラーム処理を継続する。
【００２７】
図６は、検知手段３０４がアラーム処理手段２０４を切り替える処理の流れを示すフローチャートである。検知手段３０４は、アラーム処理手段２０４が現用化されていて、アラーム処理を行う監視装置２０を常時監視している。アラーム処理を行う監視装置２０に異常がない場合（Ｓ４０２のＮＯ）、検知手段３０４は引き続き監視装置２０の状態を監視する。一方、アラーム処理を行う監視装置２０に異常が発生した場合（Ｓ４０２のＹＥＳ）、検知手段３０４は、アラーム処理を行う監視装置２０を切り替え、次にアラーム処理を行う監視装置２０のアラーム処理手段２０４に切替命令を送信する（Ｓ４０４）。
【００２８】
切替後の監視装置２０のアラーム処理手段２０４は、切替命令を受信すると、切替後の監視装置２０の記憶領域２０８から、例えば記憶されているアラームの発生時刻を参照するなどして、最新のアラームを取得する（Ｓ４０６）。そして、アラーム処理手段２０４は、アラーム取得対象の監視装置２０のバッファ２０６からアラームを取得し（Ｓ４０８）、Ｓ４０６で取得した最新のアラームと同一のアラームを検索する。アラームが同一か否かの判定は、アラーム収集手段の切替時と同様にすることができる。Ｓ４０８でバッファ２０６から取得したアラームが、Ｓ４０６で取得した最新のアラームと同一でなかった場合（Ｓ４１０のＮＯ）、アラーム処理手段２０４は、バッファから次のアラームを取得し、記憶領域２０８の最新のアラームと同一のアラームをさらに検索する。一方、Ｓ４０８でバッファ２０６から取得したアラームが、Ｓ４０６で取得した最新のアラームと同一であった場合（Ｓ４１０のＮＯ）、このアラームの次のアラームから切替前の処理の続きを行えばよいことが分かる。よって、アラーム処理手段２０４は、当該アラームの次のアラームを、アラーム取得対象の監視装置２０のバッファ２０６から読み込み、アラーム処理を継続する（Ｓ４１２）。
【００２９】
なお、記憶領域２０８は各監視装置２０の間で整合化されている必要がある。整合化手段３０６が、各監視装置２０間の記憶領域２０８の整合化処理を行うが、その方法は「従来の方法」で実現され、ＡＰレベルでの整合処理を行わない。
【００３０】
以上、本実施形態で、全ての監視装置２０のアラーム収集手段２０２が現用化される構成を取る。さらに、本実施形態で、全ての監視装置２０のうちの一部のアラーム処理手段２０４が現用化されている構成を取る。また、各監視装置２０の記憶領域はＡＰレベルで整合化を行わない。全ての監視装置２０のアラーム収集手段２０２が現用化される構成により、アラーム収集時の抜けは発生しないため、アラーム取得対象とする監視装置２０の切替後、被監視装置のアラームを再収集することなく、処理を継続することができる。また、全ての監視装置２０のうちの一部のアラーム処理手段２０４が現用化されている構成および各監視装置２０の記憶領域２０８がＡＰレベルで整合化を行わない構成より、整合化処理による性能劣化を低減させることができる。よって、これらの構成により、監視装置２０の切替が発生した場合の処理の遅延を短縮しつつ、大規模ネットワークにアラーム量に対する性能劣化を低減させたシステムを構築することができる。
【００３１】
（第２の実施形態）
本実施形態は、以下の点を除き、第１の実施形態と同様である。
【００３２】
図７は、本発明の第２の実施形態に係るネットワーク監視システムの構成を示すブロック図である。本実施形態では、アラーム収集手段２０２は、ネットワーク監視システム１０内の全ての監視装置２０において現用化されている。一方で、アラーム処理手段２０４は、ネットワーク監視システム１０内の全ての監視装置２０のうちの１つにおいて現用化されている。なお、構成の差異以外の本実施形態における処理の流れは、第１の実施形態と同様であるため、省略する。
【００３３】
以上、本実施形態においても、第１の実施形態と同様の効果を得ることができる。本実施形態では、アラーム処理手段２０４が現用化されている監視装置２０の個数を１つとする構成を取る。本構成により、アラーム処理手段２０４が現用化されている監視装置２０の個数を調整して電力の消費を抑えつつ、監視業務を行えなくなる時間を低減させることができる。
【００３４】
（第３の実施形態）
本実施形態は、以下の点を除き、第１および第２の実施形態と同様である。
【００３５】
図８は、本発明の第３の実施形態に係るネットワーク監視システムの構成を示すブロック図である。本実施形態では、アラームを一時蓄積する手段としてリングバッファ２１０を使用する。
【００３６】
リングバッファ２１０は、図９に示すようにアラームを読み込む位置を示すリードポインタ、アラームを書き込む位置を示すライトポインタを有する。リードポインタが示すアラームは、リングバッファ２１０の中で最も先に蓄積されたアラームであることを示している。なお、リングバッファ２１０のサイズは、例えば、アラーム収集手段２０２で時間単位のアラーム発生量を監視して、そのアラーム発生量に応じて可変としてもよい。
【００３７】
アラーム処理手段２０４は、リングバッファ２１０のリードポインタが示すアラームを取得し、第１および第２の実施形態と同様に処理する。
【００３８】
以上、本実施形態においても、第１および第２の実施形態と同様の効果を得ることができる。本実施形態では、アラームを一時蓄積する手段としてリングバッファ２１０を使用する構成を取る。本構成により、アラームを一時蓄積するバッファ領域を可変とすることができ、予め定められたバッファ領域を用いるより、無駄なく領域を確保することが可能となる。
【００３９】
（第４の実施形態）
本実施形態は、以下の点を除き、第１〜３の実施形態と同様である。
【００４０】
図１０は、本発明の第４の実施形態におけるネットワーク監視システムの構成を示すブロック図である。本実施形態は、アラーム処理手段で取得したアラームを表示する表示手段４０をさらに備える。
【００４１】
図１１は、本実施形態のアラーム処理の流れを示すフローチャートである。アラーム処理手段２０４は、取得したアラームを記憶領域２０８に記憶すると共に、表示手段４０へ送信する（Ｓ５０２）。表示手段は、例えばディスプレイでアラームに関する情報を表示する、または、プリンタで帳票を印刷するなどして、ユーザにアラームの情報を提示することができる。なお、アラームの種類に応じた対応方法を予め記憶領域２０８に記憶しておき、アラーム処理手段２０４が、アラームと対応方法を併せて送信し、表示手段４０で表示することもできる。
【００４２】
以上、本実施形態においても、第１〜３の実施形態と同様の効果を得ることができる。本実施形態は、アラーム情報を表示する表示手段４０をさらに備える構成を取る。本構成により、本システムが取得したアラームに関する情報をユーザに提示することができ、ユーザは、アラームに関する情報をより容易に把握することができる。
【００４３】
なお、上述した実施形態によれば以下の発明が開示されている。
（付記１）
複数の監視装置と、少なくとも１つの制御装置を備え、
前記監視装置は、
被監視装置からアラームを収集して、バッファに一時蓄積するアラーム収集手段と、
前記バッファから前記アラームを取得して記憶領域に記憶するアラーム処理手段を有し、
前記制御装置は、
複数の前記監視装置と通信し、全ての前記監視装置の前記アラーム収集手段と、全ての前記監視装置のうちの一部の前記アラーム処理手段とを現用化するように制御する制御手段と、
前記監視装置の異常を検知して、前記アラーム処理手段が前記アラームの取得対象とする前記監視装置もしくは前記アラーム処理手段を現用化する前記監視装置を切り替える検知手段と、
前記アラーム処理手段が現用化されている前記監視装置と、前記アラーム処理手段が現用化されていない前記監視装置との間で前記記憶領域を同期させて、前記記憶領域に記憶された前記アラームの内容を整合化する整合化手段を有するネットワーク監視システム。
（付記２）
付記１に記載のネットワーク監視システムにおいて、
前記制御手段は、
全ての前記監視装置のうち、１つの前記監視装置の前記アラーム処理手段を現用化するネットワーク監視システム。
（付記３）
付記１または２に記載のネットワーク監視システムにおいて、
前記バッファは、リングバッファであるネットワーク監視システム。
（付記４）
付記１〜３に記載のネットワーク監視システムにおいて、
前記アラームの情報を表示する表示手段をさらに有するネットワーク監視システム。
（付記５）
複数の監視装置と、少なくとも１つの制御装置を使用し、
前記監視装置が、
アラーム収集手段で、被監視装置からアラームを収集して、バッファに一時蓄積し、
アラーム処理手段で、前記バッファから前記アラームを取得して記憶領域に記憶し、
前記制御装置が、
制御手段で、複数の前記監視装置と通信し、全ての前記監視装置の前記アラーム収集手段と、全ての前記監視装置のうちの一部の前記アラーム処理手段とを現用化するように制御し、
検知手段で、前記監視装置の異常を検知して、前記アラーム処理手段が前記アラームの取得対象とする前記監視装置もしくは前記アラーム処理手段を現用化する前記監視装置を切り替え、
整合化手段で、前記アラーム処理手段が現用化されている前記監視装置と、前記アラーム処理手段が現用化されていない前記監視装置との間で前記記憶領域を同期させて、前記記憶領域に記憶された前記アラームの内容を整合化するネットワーク監視方法。
（付記６）
被監視装置からアラームを収集して、バッファに一時蓄積するアラーム収集手段と、前記バッファから前記アラームを取得して記憶領域に記憶するアラーム処理手段を有する、複数の監視装置を制御する装置であり、
複数の前記監視装置と通信し、全ての前記監視装置の前記アラーム収集手段と、全ての前記監視装置のうちの一部の前記アラーム処理手段とを現用化するように制御する制御手段と、
前記監視装置の異常を検知して、前記アラーム処理手段が前記アラームの取得対象とする前記監視装置もしくは前記アラーム処理手段を現用化する前記監視装置を切り替える検知手段と、
前記アラーム処理手段が現用化されている前記監視装置と、前記アラーム処理手段が現用化されていない前記監視装置との間で前記記憶領域を同期させて、前記記憶領域に記憶された前記アラームの内容を整合化する整合化手段を有する制御装置。
（付記７）
コンピュータを、
被監視装置からアラームを収集して、バッファに一時蓄積するアラーム収集手段と、前記バッファから前記アラームを取得して記憶領域に記憶するアラーム処理手段を有する、複数の監視装置と通信し、全ての前記監視装置の前記アラーム収集手段と、全ての前記監視装置のうちの一部の前記アラーム処理手段とを現用化するように制御する手段、
前記監視装置の異常を検知して、前記アラーム処理手段が前記アラームの取得対象とする前記監視装置もしくは前記アラーム処理手段を現用化する前記監視装置を切り替える手段、
前記アラーム処理手段が現用化されている前記監視装置と、前記アラーム処理手段が現用化されていない前記監視装置との間で前記記憶領域を同期させて、前記記憶領域に記憶された前記アラームの内容を整合化する手段として機能させるためのプログラム。
（付記８）
付記５に記載のネットワーク監視方法において、
前記制御手段は、
全ての前記監視装置のうち、１つの前記監視装置の前記アラーム処理手段を現用化するネットワーク監視方法。
（付記９）
付記５または８に記載のネットワーク監視方法において、
前記バッファは、リングバッファであるネットワーク監視方法。
（付記１０）
付記５、８〜１０のいずれか一項に記載のネットワーク監視方法において、
前記アラームの情報を表示する表示手段をさらに有するネットワーク監視方法。
（付記１１）
付記６に記載の制御装置において、
前記制御手段は、
全ての前記監視装置のうち、１つの前記監視装置の前記アラーム処理手段を現用化する制御装置。
（付記１２）
付記７に記載のプログラムにおいて、
前記コンピュータを、
前記制御手段で、
全ての前記監視装置のうち、１つの前記監視装置の前記アラーム処理手段を現用化する手段として機能させるためのプログラム。
（付記１３）
付記７または１２に記載のプログラムにおいて、
前記コンピュータを、
前記バッファをリングバッファとして設定する手段として機能させるためのプログラム。
（付記１４）
付記７、１２〜１３に記載のプログラムにおいて、
前記コンピュータを、
表示手段で、前記アラームの情報を表示する手段としてさらに機能させるためのプログラム。
【００４４】
以上、図面を参照して本発明の実施形態について述べたが、これらは本発明の例示であり、上記以外の様々な構成を採用することもできる。例えば、ネットワーク監視システム１０は、アラーム処理手段２０４と記憶領域２０８とを組にした装置を１つと、アラーム収集手段２０２とバッファ２０６を組にした装置を複数個とした構成を採用することもできる。
【符号の説明】
【００４５】
１０    ネットワーク監視システム
２０    監視装置
２０２  アラーム収集手段
２０４  アラーム処理手段
２０６  バッファ
２０８  記憶領域
２１０  リングバッファ
３０    制御装置
３０２  制御手段
３０４  検知手段
３０６  整合化手段
４０    表示手段
【図１】
2013207674.tif 000003
【図２】
2013207674.tif 000004
【図３】
2013207674.tif 000005
【図４】
2013207674.tif 000006
【図５】
2013207674.tif 000007
【図６】
2013207674.tif 000008
【図７】
2013207674.tif 000009
【図８】
2013207674.tif 000010
【図９】
2013207674.tif 000011
【図１０】
2013207674.tif 000012
【図１１】
2013207674.tif 000013